(57)【要約】        【課題】  遊技場管理装置及び当該装置を前提とする、島中継コンピュータ、台端末コンピュータ、ホールコンピュータ等の各種のコンピュータに関し、ホールコンピュータ・システム、紙幣搬送システムの両システムで重複している設備を可能な限り減らし、導入コストを大幅に低減することができるようにしたものである。        【解決手段】  紙幣検出センサー(340,341)を、台端末コンピュータ(220)にそれぞれ接続し、島中継コンピュータ(230)を紙幣搬送制御部(330)に接続する。台端末コンピュータ(220)は、紙幣検出センサー(340,341)から出力される紙幣検出信号にもとづいて、紙幣詰まりを判断し、紙幣詰まり信号を島中継コンピュータ(230)に送信する。島中継コンピュータ(230)は、紙幣詰まり信号にもとづいて、紙幣搬送装置(310,311)による紙幣の搬送動作を停止させるための搬送停止用伝達信号を、紙幣搬送制御部(330)に送信する。    【選択図】    図１
2006116025.tif 000002
【特許請求の範囲】
【請求項１】
遊技場内に配置される複数個の遊技島と、
各遊技島に配置される複数台の遊技台と、
隣接する前記遊技台の間に配置される複数台の遊技媒体貸出装置と、
各遊技島内に配置され、前記遊技媒体貸出装置から投入される紙幣を前記遊技島の一端部に向かって搬送するための紙幣搬送装置と、
前記紙幣搬送装置内に配置され、当該紙幣搬送装置内を搬送される紙幣の通過を検出するための複数個の紙幣検出センサーと、
各遊技島の一端部に配置され、前記紙幣搬送装置により搬送される紙幣を保管するための紙幣保管庫と、
前記紙幣保管庫に配置され、前記紙幣搬送装置を制御するための紙幣搬送制御部と、
前記遊技台に隣接して各遊技島内に複数台配置され、当該遊技台に接続される台端末コンピュータと、
各遊技島に配置され、前記複数台の台端末コンピュータにそれぞれ接続される島中継コンピュータと、
各遊技島の前記島中継コンピュータにそれぞれ接続されるホールコンピュータとを備える遊技場管理装置であって、
前記台端末コンピュータは、
前記紙幣検出センサーをそれぞれ接続するとともに、
前記紙幣検出センサーから出力される紙幣検出信号にもとづいて、紙幣詰まりを判断し、紙幣詰まり信号を前記島中継コンピュータに送信し、
前記島中継コンピュータは、
前記紙幣搬送制御部を接続するとともに、
前記台端末コンピュータから送信された前記紙幣詰まり信号にもとづいて、前記紙幣搬送装置による紙幣の搬送動作を停止させるための搬送停止用伝達信号を、前記紙幣搬送制御部に送信するようにしていることを特徴とする遊技場管理装置。
【請求項２】
請求項１に記載の遊技場管理装置であって、
前記紙幣搬送制御部は、
前記島中継コンピュータから送信された前記搬送停止用伝達信号にもとづいて、前記紙幣搬送装置による紙幣の搬送動作を停止させるとともに、
搬送停止信号を前記島中継コンピュータに送信し、
前記台端末コンピュータは、
前記島中継コンピュータを経由して受信した前記搬送停止信号を待って、前記遊技媒体貸出装置に向かって紙幣受付禁止信号を送信し、
当該遊技媒体貸出装置は、
前記台端末コンピュータから送信された前記紙幣受付禁止信号にもとづいて、紙幣の受付を禁止させるようにしていることを特徴とする遊技場管理装置。
【請求項３】
請求項１又は請求項２に記載の遊技場管理装置であって、
前記紙幣搬送制御部には、
搬送停止警告表示部を備え、
前記紙幣搬送制御部は、
前記島中継コンピュータから送信された搬送停止用伝達信号にもとづいて、前記搬送停止警告表示部により、搬送が停止したことを表示するようにしていることを特徴とする遊技場管理装置。
【請求項４】
請求項１〜３のいずれか１項に記載の遊技場管理装置であって、
前記紙幣搬送制御部には、
停止位置表示部を備え、
前記台端末コンピュータは、
前記紙幣詰まり信号に加えて、当該台端末コンピュータのアドレスと、当該紙幣検出センサーが接続されたポート番号とを含む搬送信号を前記島中継コンピュータに送信し、
前記島中継コンピュータは、
前記搬送信号にもとづいて、紙幣詰まりが発生した前記紙幣検出センサーを特定し、
当該紙幣検出センサーの位置を詰まり位置信号として前記紙幣搬送制御部に送信し、
前記紙幣搬送制御部は、
前記詰まり位置信号にもとづいて紙幣詰まりが発生した位置を、前記停止位置表示部により表示するようにしていることを特徴とする遊技場管理装置。
【請求項５】
請求項４に記載の遊技場管理装置であって、
前記紙幣搬送制御部は、
前記島中継コンピュータから送信された前記搬送停止用伝達信号にもとづいて、停止位置読み信号を前記島中継コンピュータに送信し、
前記島中継コンピュータは、
前記紙幣搬送制御部から送信される停止位置読み信号を待って、前記詰まり位置信号を送信するようにしていることを特徴とする遊技場管理装置。
【請求項６】
請求項１〜５のいずれか１項に記載の遊技場管理装置であって、
前記台端末コンピュータは、
前記紙幣詰まり信号に加えて、当該台端末コンピュータのアドレスと、当該紙幣検出センサーが接続されたポート番号とを含む搬送信号を前記島中継コンピュータに送信し、
前記ホールコンピュータは、
前記島中継コンピュータを経由して受信した前記搬送信号にもとづいて、紙幣詰まりが発生した位置に近接する前記遊技台の台番号を検索するようにしていることを特徴とする遊技場管理装置。
【請求項７】
請求項１〜６のいずれか１項に記載の遊技場管理装置であって、
前記台端末コンピュータは、
前記紙幣詰まり信号に加えて、当該台端末コンピュータのアドレスと、当該紙幣検出センサーが接続されたポート番号とを含む搬送信号を前記島中継コンピュータに送信し、
前記ホールコンピュータは、
前記島中継コンピュータを経由して受信した前記搬送信号にもとづいて、紙幣詰まりが発生した位置に近接する前記遊技媒体貸出装置のユニット番号を検索するようにしていることを特徴とする遊技場管理装置。
【請求項８】
請求項６又は請求項７に記載の遊技場管理装置であって、
前記ホールコンピュータには、
音声情報を無線により送信可能な無線通信装置を備えるとともに、
当該無線通信装置を通じて、検索した前記台番号又はユニット番号を店員に対し、音声により連絡するようにしていることを特徴とする遊技場管理装置。
【請求項９】
請求項６〜８のいずれか１項に記載の遊技場管理装置であって、
前記ホールコンピュータには、
表示情報を無線により送信可能な無線通信装置を備えるとともに、
当該無線通信装置を通じて、検索した前記台番号又はユニット番号を店員に対し、視覚的に連絡するようにしていることを特徴とする遊技場管理装置。
【請求項１０】
請求項１〜９のいずれか１項に記載の遊技場管理装置であって、
前記台端末コンピュータには、
前記台端末コンピュータに接続されたリセットスイッチを備え、
前記島中継コンピュータは、
前記台端末コンピュータを経由して受信した前記リセットスイッチからのリセット信号にもとづいて、前記紙幣搬送装置による紙幣の搬送動作を再開させるための搬送再開用伝達信号を、前記紙幣搬送制御部に送信するようにしていることを特徴とする遊技場管理装置。
【請求項１１】
請求項１０に記載の遊技場管理装置であって、
前記紙幣搬送制御部は、
前記島中継コンピュータから送信された前記搬送再開用伝達信号にもとづいて、前記紙幣搬送装置による紙幣の搬送動作を再開させるとともに、
搬送停止解除信号を前記島中継コンピュータに送信し、
前記台端末コンピュータは、
前記島中継コンピュータを経由して受信した前記搬送停止解除信号を待って、紙幣受付禁止状態の前記遊技媒体貸出装置に向かって紙幣受付禁止解除信号を送信し、
当該遊技媒体貸出装置は、
前記台端末コンピュータから送信された前記紙幣受付禁止解除信号にもとづいて、紙幣の受付を再開させるようにしていることを特徴とする遊技場管理装置。
【請求項１２】
遊技場内に配置される複数個の遊技島と、
各遊技島に配置される複数台の遊技台と、
隣接する前記遊技台の間に配置される複数台の遊技媒体貸出装置と、
各遊技島内に配置され、前記遊技媒体貸出装置から投入される紙幣を前記遊技島の一端部に向かって搬送するための紙幣搬送装置と、
前記紙幣搬送装置内に配置され、当該搬送装置内の紙幣の通過を検知するための複数個の紙幣検出センサーと、
各遊技島の一端部に配置され、前記紙幣搬送装置により搬送される紙幣を保管するための紙幣保管庫と、
前記紙幣保管庫に配置され、前記紙幣搬送装置を制御するための紙幣搬送制御部と、
前記遊技台に隣接して各遊技島内に複数台配置され、当該遊技台に接続される台端末コンピュータと、
各遊技島に配置され、前記複数台の台端末コンピュータにそれぞれ接続される島中継コンピュータと、
各遊技島の前記島中継コンピュータにそれぞれ接続されるホールコンピュータとを前提とし、
前記台端末コンピュータは、
前記紙幣検出センサーにそれぞれ接続可能に構成されるとともに、
前記紙幣検出センサーから出力される紙幣検出信号にもとづいて、紙幣詰まりを判断し、紙幣詰まり信号を前記島中継コンピュータに送信するように構成され、
前記島中継コンピュータは、
前記紙幣搬送制御部に接続可能に構成され、
前記台端末コンピュータから送信された前記紙幣詰まり信号にもとづいて、前記紙幣搬送装置による紙幣の搬送動作を停止させるための搬送停止用伝達信号を、前記紙幣搬送制御部に送信するように構成されていることを特徴とする遊技場管理装置の島中継コンピュータ。
【請求項１３】
遊技場内に配置される複数個の遊技島と、
各遊技島に配置される複数台の遊技台と、
隣接する前記遊技台の間に配置される複数台の遊技媒体貸出装置と、
各遊技島内に配置され、前記遊技媒体貸出装置から投入される紙幣を前記遊技島の一端部に向かって搬送するための紙幣搬送装置と、
前記紙幣搬送装置内に配置され、当該搬送装置内の紙幣の通過を検知するための複数個の紙幣検出センサーと、
各遊技島の一端部に配置され、前記紙幣搬送装置により搬送される紙幣を保管するための紙幣保管庫と、
前記紙幣保管庫に配置され、前記紙幣搬送装置を制御するための紙幣搬送制御部と、
前記遊技台に隣接して各遊技島内に複数台配置され、当該遊技台に接続される台端末コンピュータと、
各遊技島に配置され、前記複数台の台端末コンピュータにそれぞれ接続される島中継コンピュータと、
各遊技島の前記島中継コンピュータにそれぞれ接続されるホールコンピュータとを前提とし、
前記島中継コンピュータは、前記紙幣搬送制御部に接続可能に構成され、
前記各台端末コンピュータは、
前記紙幣検出センサーにそれぞれ接続可能に構成され、
当該紙幣検出センサーに接続した場合には、当該紙幣検出センサーから出力される紙幣検出信号にもとづいて、紙幣詰まりを判断し、紙幣詰まり信号を前記島中継コンピュータに送信するように構成されていることを特徴とする遊技場管理装置用の台端末コンピュータ。
【請求項１４】
請求項１３に記載の遊技場管理装置の台端末コンピュータであって、
前記各台端末コンピュータは、
前記紙幣詰まり信号に加えて、当該台端末コンピュータのアドレスと、当該紙幣検出センサーが接続されたポート番号とを含む搬送信号を前記島中継コンピュータに送信するように構成されていることを特徴とする遊技場管理装置用の台端末コンピュータ。
【請求項１５】
遊技場内に配置される複数個の遊技島と、
各遊技島に配置される複数台の遊技台と、
隣接する前記遊技台の間に配置される複数台の遊技媒体貸出装置と、
各遊技島内に配置され、前記遊技媒体貸出装置から投入される紙幣を前記遊技島の一端部に向かって搬送するための紙幣搬送装置と、
前記紙幣搬送装置内に配置され、当該搬送装置内の紙幣の通過を検知するための複数個の紙幣検出センサーと、
各遊技島の一端部に配置され、前記紙幣搬送装置により搬送される紙幣を保管するための紙幣保管庫と、
前記紙幣保管庫に配置され、前記紙幣搬送装置を制御するための紙幣搬送制御部と、
前記遊技台に隣接して各遊技島内に複数台配置され、当該遊技台に接続される台端末コンピュータと、
各遊技島に配置され、前記複数台の台端末コンピュータにそれぞれ接続される島中継コンピュータと、
各遊技島の前記島中継コンピュータにそれぞれ接続されるホールコンピュータとを前提とし、
前記島中継コンピュータは、
前記紙幣搬送制御部に接続可能に構成され、
前記各台端末コンピュータは、
前記紙幣検出センサーにそれぞれ接続可能に構成され、
当該紙幣検出センサーに接続した場合には、当該紙幣検出センサーから出力される紙幣検出信号にもとづいて、紙幣詰まりを判断し、紙幣詰まり信号を前記島中継コンピュータに送信するように構成されるとともに、
前記紙幣詰まり信号に加えて、当該台端末コンピュータのアドレスと、当該紙幣検出センサーが接続されたポート番号とを含む搬送信号を前記島中継コンピュータに送信するように構成され、
前記ホールコンピュータは、
前記島中継コンピュータを経由して受信した前記搬送信号にもとづいて、紙幣詰まりが発生した位置に近接する前記遊技台の台番号を検索するようにしていることを特徴とする遊技場管理装置のホールコンピュータ。
【請求項１６】
請求項１５に記載の遊技場管理装置のホールコンピュータであって、
前記ホールコンピュータは、
前記島中継コンピュータを経由して受信した前記搬送信号にもとづいて、紙幣詰まりが発生した位置に近接する前記遊技媒体貸出装置のユニット番号を検索するようにしていることを特徴とする遊技場管理装置。
【発明の詳細な説明】
【技術分野】
【０００１】
この発明は、遊技場管理装置及び当該装置を前提とする、島中継コンピュータ、台端末コンピュータ、ホールコンピュータ等の各種のコンピュータに関し、これらのコンピュータを用いて紙幣の搬送を制御することができるようにしたものである。
【背景技術】
【０００２】
従来の紙幣搬送システムは、紙幣搬送装置内で紙幣の詰まりが発生すると、詰まり信号を発生する複数個の端末と、全ての端末と直列に接続された制御部とを備えていた（特許文献１の段落番号「００１４」、段落番号「００１７」、図２参照）。制御部は、詰まり信号を受信すると、紙幣搬送装置による紙幣の搬送を停止していた。
つぎに、制御部は、直近いの端末（上流側の端末）に向かって位置読み信号を送信する（特許文献１の段落番号「００１８」〜「００２２」、図３、図６〜７参照）。位置読み信号を受信した端末は、紙幣詰まり信号を入力していない場合には、制御部及び下流側の端末に向かってリターン信号を返信する。これに対し、紙幣詰まり信号を入力した端末は、制御部及び下流側の端末に向かってリターン信号を返信しない。制御部は、各端末から返信されたリターン信号のパルス数をカウントすることで、紙幣詰まり信号を入力した端末を特定していた。
【特許文献１】特開2001-287850号公報（段落番号「００１４」、段落番号「００１７」〜「００２２」、図１〜７）
【発明の開示】
【発明が解決しようとする課題】
【０００３】
しかし、上記した従来の紙幣搬送システムでは、専用の端末が設計しなければならず、又、各端末と制御部と接続するための数多くのケーブルが必要となるため、パーツ代が嵩むばかりでなく、配線作業が面倒で費用も嵩むという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、遊技場管理装置に関し、次の点を目的とする。
【０００４】
すなわち、請求項１に記載の発明は、ホールコンピュータを中心とする既存のホールコンピュータ・システムを構成する島中継コンピュータ、台端末コンピュータ、並びにこれらの配線を利用して紙幣搬送システムを制御することで、両システムで重複している設備を可能な限り減らし、導入コストを大幅に低減することができるようにしたものである。
例えば、ホールコンピュータ・システムと、紙幣搬送システムとを同時に導入する場合には、ホールコンピュータ・システムの導入工事を実施した段階で、紙幣搬送システム用の配線作業もほぼ終了している状態になり、両システムの導入作業及び導入費用を半減することができる。
【０００５】
また、仮に両システムの一方が先に導入されている場合には、既に遊技島内の配線作業が終了している状態であるため、もう一方のシステムを単独で導入する場合に比較して、導入作業及び導入費用を低減することができる。
さらに、紙幣搬送システムの専用の端末や、配線を省くことができるので、これに起因する故障を減少することができ、保守やメンテナンスの手数を軽減することができる。
（請求項２）
請求項２に記載の発明は、遊技場管理装置に関し、上記した請求項１に記載の発明の目的に加え、次の点を目的とする。
【０００６】
すなわち、請求項２に記載の発明は、遊技媒体貸出装置による紙幣の受付を禁止させることができるようにしたものである。
（請求項３）
請求項３に記載の発明は、遊技場管理装置に関し、上記した請求項１又は請求項２に記載の発明の目的に加え、次の点を目的とする。
【０００７】
すなわち、請求項３に記載の発明は、搬送停止警告表示部により、搬送が停止したことを表示することができるようにしたものである。
（請求項４）
請求項４に記載の発明は、遊技場管理装置に関し、上記した請求項１〜３のいずれか１項に記載の発明の目的に加え、次の点を目的とする。
【０００８】
すなわち、請求項４に記載の発明は、停止位置表示部により、紙幣が詰まった位置を表示することができるようにしたものである。
（請求項５）
請求項５に記載の発明は、遊技場管理装置に関し、上記した請求項４に記載の発明の目的に加え、次の点を目的とする。
【０００９】
すなわち、請求項５に記載の発明は、紙幣搬送制御部の応答を待って、詰まり位置信号を送信することができるようにしたものである。
（請求項６）
請求項６に記載の発明は、遊技場管理装置に関し、上記した請求項１〜５のいずれか１項に記載の発明の目的に加え、次の点を目的とする。
【００１０】
すなわち、請求項６に記載の発明は、ホールコンピュータにより、紙幣詰まりが発生した位置に近接する遊技台の台番号を検索することができるようにしたものである。
（請求項７）
請求項７に記載の発明は、遊技場管理装置に関し、上記した請求項１〜６のいずれか１項に記載の発明の目的に加え、次の点を目的とする。
【００１１】
すなわち、請求項７に記載の発明は、ホールコンピュータにより、紙幣詰まりが発生した位置に近接する遊技媒体貸出装置のユニット番号を検索することができるようにしたものである。
（請求項８）
請求項８に記載の発明は、遊技場管理装置に関し、上記した請求項６又は請求項７に記載の発明の目的に加え、次の点を目的とする。
【００１２】
すなわち、請求項８に記載の発明は、ホールコンピュータにより検索した台番号又はユニット番号を店員に対し、音声により連絡することができるようにしたものである。
その結果、店員が紙幣詰まりが発生した位置を素早く把握して対処できるので、紙幣詰まりによる紙幣搬送システムのダウンタイムを縮小でき、ホールの売り上げへの影響を最小限に抑えることができる。
（請求項９）
請求項９に記載の発明は、遊技場管理装置に関し、上記した請求項６〜８のいずれか１項に記載の発明の目的に加え、次の点を目的とする。
【００１３】
すなわち、請求項９に記載の発明は、ホールコンピュータにより検索した台番号又はユニット番号を店員に対し、視覚的に連絡することができるようにしたものである。
その結果、店員が紙幣詰まりが発生した位置を素早く把握して対処できるので、紙幣詰まりによる紙幣搬送システムのダウンタイムを縮小でき、ホールの売り上げへの影響を最小限に抑えることができる。
（請求項１０）
請求項１０に記載の発明は、遊技場管理装置に関し、上記した請求項１〜９のいずれか１項に記載の発明の目的に加え、次の点を目的とする。
【００１４】
すなわち、請求項１０に記載の発明は、リセットスイッチを操作することで、紙幣の搬送を再開させることができるようにしたものである。
（請求項１１）
請求項１１に記載の発明は、遊技場管理装置に関し、上記した請求項１０に記載の発明の目的に加え、次の点を目的とする。
【００１５】
すなわち、請求項１１に記載の発明は、紙幣受付禁止状態の遊技媒体貸出装置による紙幣の受付を再開させることができるようにしたものである。
（請求項１２）
請求項１２に記載の発明は、遊技場管理装置用の島中継コンピュータに関し、次の点を目的とする。
【００１６】
すなわち、請求項１２に記載の発明は、ホールコンピュータを中心とする既存のホールコンピュータ・システムを構成する島中継コンピュータ、台端末コンピュータ、並びにこれらの配線を利用して紙幣搬送システムを制御することで、両システムで重複している設備を可能な限り減らし、導入コストを大幅に低減することができるようにしたものである。
（請求項１３）
請求項１３に記載の発明は、遊技場管理装置用の台端末コンピュータに関し、次の点を目的とする。
【００１７】
すなわち、請求項１３に記載の発明は、ホールコンピュータを中心とする既存のホールコンピュータ・システムを構成する島中継コンピュータ、台端末コンピュータ、並びにこれらの配線を利用して紙幣搬送システムを制御することで、両システムで重複している設備を可能な限り減らし、導入コストを大幅に低減することができるようにしたものである。
（請求項１４）
請求項１４に記載の発明は、遊技場管理装置用の台端末コンピュータに関し、上記した請求項１３に記載の発明の目的に加え、次の点を目的とする。
【００１８】
すなわち、請求項１４に記載の発明は、紙幣詰まり信号に加えて、当該台端末コンピュータのアドレスと、当該紙幣検出センサーが接続されたポート番号とを含む搬送信号を島中継コンピュータに送信することができるようにしたものである。
例えば、島中継コンピュータを経由して受信した搬送信号にもとづいて、ホールコンピュータにより、紙幣詰まりが発生した位置に近接する遊技台の台番号や、遊技媒体貸出装置のユニット番号を検索することができる。
（請求項１５）
請求項１５に記載の発明は、遊技場管理装置のホールコンピュータに関し、次の点を目的とする。
【００１９】
すなわち、請求項１５に記載の発明は、ホールコンピュータにより、紙幣詰まりが発生した位置に近接する遊技台の台番号を検索することができるようにしたものである。
（請求項１６）
請求項１６に記載の発明は、遊技場管理装置のホールコンピュータに関し、上記した請求項１５に記載の発明の目的に加え、次の点を目的とする。
【００２０】
すなわち、請求項１５に記載の発明は、ホールコンピュータにより、紙幣詰まりが発生した位置に近接する遊技媒体貸出装置のユニット番号を検索することができるようにしたものである。
【課題を解決するための手段】
【００２１】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００２２】
第一に、遊技場管理装置(10)は、例えば図１〜４に示すように、次の構成を備える。
（１）遊技島(100)
遊技島(100)は、例えば図３に示すように、複数個有り、遊技場内に配置されるものである。
（２）遊技台(110,120)
遊技台(110,120)は、例えば図３に示すように、複数台有り、各遊技島(100)に配置されるものである。
【００２３】
（３）遊技媒体貸出装置(130,140)
遊技媒体貸出装置(130,140)は、例えば図３に示すように、複数台有り、隣接する遊技台(110,120)の間に配置されるものである。
（４）紙幣搬送装置(310,311)
紙幣搬送装置(310,311)は、例えば図４に示すように、各遊技島(100)内に配置され、遊技媒体貸出装置(130,140)から投入される紙幣を遊技島(100)の一端部に向かって搬送するためのものである。
【００２４】
（５）紙幣検出センサー(340,341)
紙幣検出センサー(340,341)は、例えば図１〜２に示すように、複数個有り、紙幣搬送装置(310,311)内に配置され、当該紙幣搬送装置(310,311)内を搬送される紙幣の通過を検出するためのものである。
（６）紙幣保管庫(320)
紙幣保管庫(320)は、例えば図２及び図４に示すように、各遊技島(100)の一端部に配置され、紙幣搬送装置(310,311)により搬送される紙幣を保管するためのものである。
【００２５】
（７）紙幣搬送制御部(330)
紙幣搬送制御部(330)は、図示しないが、紙幣保管庫(320)に配置され、紙幣搬送装置(310,311)を制御するためのものである（例えば図１参照）。
（８）台端末コンピュータ(220)
台端末コンピュータ(220)は、例えば図１〜２に示すように、遊技台(110,120)に隣接して各遊技島(100)内に複数台配置され、当該遊技台(110,120)に接続されるものである。
【００２６】
（９）島中継コンピュータ(230)
島中継コンピュータ(230)は、例えば図１〜２に示すように、各遊技島(100)に配置され、複数台の台端末コンピュータ(220)にそれぞれ接続されるものである。
（１０）ホールコンピュータ(210)
ホールコンピュータ(210)は、例えば図１に示すように、各遊技島(100)の島中継コンピュータ(230)にそれぞれ接続されるものである。
【００２７】
第二に、台端末コンピュータ(220)は、例えば図１〜２に示すように、紙幣検出センサー(340,341)をそれぞれ接続する。
また、台端末コンピュータ(220)は、紙幣検出センサー(340,341)から出力される紙幣検出信号にもとづいて、紙幣詰まりを判断し、紙幣詰まり信号を島中継コンピュータ(230)に送信する。
【００２８】
第三に、島中継コンピュータ(230)は、例えば図１〜２に示すように、紙幣搬送制御部(330)に接続する。
また、島中継コンピュータ(230)は、台端末コンピュータ(220)から送信された紙幣詰まり信号にもとづいて、紙幣搬送装置(310,311)による紙幣の搬送動作を停止させるための搬送停止用伝達信号を、紙幣搬送制御部(330)に送信するようにしている。
（請求項２）
請求項２に記載の発明は、遊技場管理装置に関し、上記した請求項１に記載の発明の特徴点に加え、次の点を特徴とする。
【００２９】
第一に、紙幣搬送制御部(330)は、島中継コンピュータ(230)から送信された搬送停止用伝達信号にもとづいて、紙幣搬送装置(310,311)による紙幣の搬送動作を停止させる。
また、紙幣搬送制御部(330)は、搬送停止信号を島中継コンピュータ(230)に送信する。
第二に、台端末コンピュータ(220)は、島中継コンピュータ(230)を経由して受信した搬送停止信号を待って、遊技媒体貸出装置(130,140)に向かって紙幣受付禁止信号を送信する。
【００３０】
第三に、当該遊技媒体貸出装置(130,140)は、台端末コンピュータ(220)から送信された紙幣受付禁止信号にもとづいて、紙幣の受付を禁止させるようにしている。
（請求項３）
請求項３に記載の発明は、遊技場管理装置に関し、上記した請求項１又は請求項２に記載の発明の特徴点に加え、次の点を特徴とする。
【００３１】
第一に、紙幣搬送制御部(330)には、例えば図１に示すように、搬送停止警告表示部(350)を備える。
第二に、紙幣搬送制御部(330)は、島中継コンピュータ(230)から送信された搬送停止用伝達信号にもとづいて、搬送停止警告表示部(350)により、搬送が停止したことを表示するようにしている。
（請求項４）
請求項４に記載の発明は、遊技場管理装置に関し、上記した請求項１〜３のいずれか１項に記載の発明の特徴点に加え、次の点を特徴とする。
【００３２】
第一に、紙幣搬送制御部(330)には、例えば図１に示すように、停止位置表示部(360)を備える。
第二に、台端末コンピュータ(220)は、紙幣詰まり信号に加えて、当該台端末コンピュータ(220)のアドレスと、当該紙幣検出センサー(340,341)が接続されたポート番号とを含む搬送信号を島中継コンピュータ(230)に送信する。
【００３３】
第三に、島中継コンピュータ(230)は、搬送信号にもとづいて、紙幣詰まりが発生した紙幣検出センサー(340,341)を特定し、当該紙幣検出センサー(340,341)の位置を詰まり位置信号として紙幣搬送制御部(330)に送信するものである。
第四に、紙幣搬送制御部(330)は、詰まり位置信号にもとづいて紙幣詰まりが発生した位置を、停止位置表示部(360)により表示するようにしている。
（請求項５）
請求項５に記載の発明は、遊技場管理装置に関し、上記した請求項４に記載の発明の特徴点に加え、次の点を特徴とする。
【００３４】
第一に、紙幣搬送制御部(330)は、島中継コンピュータ(230)から送信された搬送停止用伝達信号にもとづいて、停止位置読み信号を島中継コンピュータ(230)に送信する。
第二に、島中継コンピュータ(230)は、紙幣搬送制御部(330)から送信される停止位置読み信号を待って、詰まり位置信号を送信するようにしている。
（請求項６）
請求項６に記載の発明は、遊技場管理装置に関し、上記した請求項１〜５のいずれか１項に記載の発明の特徴点に加え、次の点を特徴とする。
【００３５】
第一に、台端末コンピュータ(220)は、紙幣詰まり信号に加えて、当該台端末コンピュータ(220)のアドレスと、当該紙幣検出センサー(340,341)が接続されたポート番号とを含む搬送信号を島中継コンピュータ(230)に送信する。
第二に、ホールコンピュータ(210)は、島中継コンピュータ(230)を経由して受信した搬送信号にもとづいて、紙幣詰まりが発生した位置に近接する遊技台(110,120)の台番号（例えば図３の「No.」参照）を検索するようにしている。
（請求項７）
請求項７に記載の発明は、遊技場管理装置に関し、上記した請求項１〜６のいずれか１項に記載の発明の特徴点に加え、次の点を特徴とする。
【００３６】
第一に、台端末コンピュータ(220)は、紙幣詰まり信号に加えて、当該台端末コンピュータ(220)のアドレスと、当該紙幣検出センサー(340,341)が接続されたポート番号とを含む搬送信号を島中継コンピュータ(230)に送信している。
第二に、ホールコンピュータ(210)は、島中継コンピュータ(230)を経由して受信した搬送信号にもとづいて、紙幣詰まりが発生した位置に近接する遊技媒体貸出装置(130,140)のユニット番号（例えば図３の「No.」参照）を検索するようにしている。
（請求項８）
請求項８に記載の発明は、遊技場管理装置に関し、上記した請求項６又は請求項７に記載の発明の特徴点に加え、次の点を特徴とする。
【００３７】
すなわち、ホールコンピュータ(210)には、例えば図１に示すように、音声情報を無線により送信可能な無線通信装置(270)を備える。
また、ホールコンピュータ(210)は、当該無線通信装置(270)を通じて、検索した台番号又はユニット番号を店員に対し、音声により連絡するようにしている。
（請求項９）
請求項９に記載の発明は、遊技場管理装置に関し、上記した請求項６〜８のいずれか１項に記載の発明の特徴点に加え、次の点を特徴とする。
【００３８】
すなわち、ホールコンピュータ(210)には、例えば図１に示すように、表示情報を無線により送信可能な無線通信装置(270)を備える。
また、ホールコンピュータ(210)は、当該無線通信装置(270)を通じて、検索した台番号又はユニット番号を店員に対し、視覚的に連絡するようにしている。
（請求項１０）
請求項１０に記載の発明は、遊技場管理装置に関し、上記した請求項１〜９のいずれか１項に記載の発明の特徴点に加え、次の点を特徴とする。
【００３９】
第一に、台端末コンピュータ(220)には、例えば図１に示すように、台端末コンピュータ(220)に接続されたリセットスイッチ(250)を備えるものである。
第二に、島中継コンピュータ(230)は、台端末コンピュータ(220)を経由して受信したリセットスイッチ(250)からのリセット信号にもとづいて、紙幣搬送装置(310,311)による紙幣の搬送動作を再開させるための搬送再開用伝達信号を、紙幣搬送制御部(330)に送信するようにしている。
（請求項１１）
請求項１１に記載の発明は、遊技場管理装置の島中継コンピュータに関し、上記した請求項１０に記載の発明の特徴点に加え、次の点を特徴とする。
【００４０】
第一に、紙幣搬送制御部(330)は、島中継コンピュータ(230)から送信された搬送再開用伝達信号にもとづいて、紙幣搬送装置(310,311)による紙幣の搬送動作を再開させる。
また、紙幣搬送制御部(330)は、搬送停止解除信号を島中継コンピュータ(230)に送信する。
第二に、台端末コンピュータ(220)は、島中継コンピュータ(230)を経由して受信した搬送停止解除信号を待って、紙幣受付禁止状態の遊技媒体貸出装置(130,140)に向かって紙幣受付禁止解除信号を送信する。
【００４１】
第三に、当該遊技媒体貸出装置(130,140)は、台端末コンピュータ(220)から送信された紙幣受付禁止解除信号にもとづいて、紙幣の受付を再開させるようにしている。
（請求項１２）
請求項１２に記載の発明は、遊技場管理装置の島中継コンピュータに関し、次の点を特徴とする。
【００４２】
第一に、例えば図１〜４に示すように、次の構成を前提とする。
（１）遊技島(100)
遊技島(100)は、例えば図３に示すように、複数個有り、遊技場内に配置されるものである。
（２）遊技台(110,120)
遊技台(110,120)は、例えば図３に示すように、複数台有り、各遊技島(100)に配置されるものである。
【００４３】
（３）遊技媒体貸出装置(130,140)
遊技媒体貸出装置(130,140)は、例えば図３に示すように、複数台有り、隣接する遊技台(110,120)の間に配置されるものである。
（４）紙幣搬送装置(310,311)
紙幣搬送装置(310,311)は、例えば図４に示すように、各遊技島(100)内に配置され、遊技媒体貸出装置(130,140)から投入される紙幣を遊技島(100)の一端部に向かって搬送するためのものである。
【００４４】
（５）紙幣検出センサー(340,341)
紙幣検出センサー(340,341)は、例えば図１〜２に示すように、複数個有り、紙幣搬送装置(310,311)内に配置され、当該搬送装置内の紙幣の通過を検知するためのものである。
（６）紙幣保管庫(320)
紙幣保管庫(320)は、例えば図２及び図４に示すように、各遊技島(100)の一端部に配置され、紙幣搬送装置(310,311)により搬送される紙幣を保管するためのものである。
【００４５】
（７）紙幣搬送制御部(330)
紙幣搬送制御部(330)は、図示しないが、紙幣保管庫(320)に配置され、紙幣搬送装置(310,311)を制御するためのものである（例えば図１参照）。
（８）台端末コンピュータ(220)
台端末コンピュータ(220)は、例えば図１〜２に示すように、遊技台(110,120)に隣接して各遊技島(100)内に複数台配置され、当該遊技台(110,120)に接続されるものである。
【００４６】
（９）島中継コンピュータ(230)
島中継コンピュータ(230)は、例えば図１〜２に示すように、各遊技島(100)に配置され、複数台の台端末コンピュータ(220)にそれぞれ接続されるものである。
（１０）ホールコンピュータ(210)
ホールコンピュータ(210)は、例えば図１に示すように、各遊技島(100)の島中継コンピュータ(230)にそれぞれ接続されるものである。
【００４７】
第二に、台端末コンピュータ(220)は、例えば図１〜２に示すように、紙幣検出センサー(340,341)にそれぞれ接続可能に構成されている。
また、台端末コンピュータ(220)は、紙幣検出センサー(340,341)から出力される紙幣検出信号にもとづいて、紙幣詰まりを判断し、紙幣詰まり信号を島中継コンピュータ(230)に送信するように構成されている。
【００４８】
第三に、島中継コンピュータ(230)は、例えば図１〜２に示すように、紙幣搬送制御部(330)に接続可能に構成されている。
また、島中継コンピュータ(230)は、台端末コンピュータ(220)から送信された紙幣詰まり信号にもとづいて、紙幣搬送装置(310,311)による紙幣の搬送動作を停止させるための搬送停止用伝達信号を、紙幣搬送制御部(330)に送信するように構成されている。
（請求項１３）
請求項１３に記載の発明は、遊技場管理装置用の台端末コンピュータに関し、次の点を特徴とする。
【００４９】
第一に、例えば図１〜４に示すように、次の構成を前提とする。
（１）遊技島(100)
遊技島(100)は、例えば図３に示すように、複数個有り、遊技場内に配置されるものである。
（２）遊技台(110,120)
遊技台(110,120)は、例えば図３に示すように、複数台有り、各遊技島(100)に配置されるものである。
【００５０】
（３）遊技媒体貸出装置(130,140)
遊技媒体貸出装置(130,140)は、例えば図３に示すように、複数台有り、隣接する遊技台(110,120)の間に配置されるものである。
（４）紙幣搬送装置(310,311)
紙幣搬送装置(310,311)は、例えば図４に示すように、各遊技島(100)内に配置され、遊技媒体貸出装置(130,140)から投入される紙幣を遊技島(100)の一端部に向かって搬送するためのものである。
【００５１】
（５）紙幣検出センサー(340,341)
紙幣検出センサー(340,341)は、例えば図１〜２に示すように、複数個有り、紙幣搬送装置(310,311)内に配置され、当該搬送装置内の紙幣の通過を検知するためのものである。
（６）紙幣保管庫(320)
紙幣保管庫(320)は、例えば図２及び図４に示すように、各遊技島(100)の一端部に配置され、紙幣搬送装置(310,311)により搬送される紙幣を保管するためのものである。
【００５２】
（７）紙幣搬送制御部(330)
紙幣搬送制御部(330)は、図示しないが、紙幣保管庫(320)に配置され、紙幣搬送装置(310,311)を制御するためのものである（例えば図１参照）。
（８）台端末コンピュータ(220)
台端末コンピュータ(220)は、例えば図１〜２に示すように、遊技台(110,120)に隣接して各遊技島(100)内に複数台配置され、当該遊技台(110,120)に接続されるものである。
【００５３】
（９）島中継コンピュータ(230)
島中継コンピュータ(230)は、例えば図１〜２に示すように、各遊技島(100)に配置され、複数台の台端末コンピュータ(220)にそれぞれ接続されるものである。
（１０）ホールコンピュータ(210)
ホールコンピュータ(210)は、例えば図１に示すように、各遊技島(100)の島中継コンピュータ(230)にそれぞれ接続されるものである。
【００５４】
第二に、島中継コンピュータ(230)は、例えば図１〜２に示すように、紙幣搬送制御部(330)に接続可能に構成されている。
第三に、各台端末コンピュータ(220)は、例えば図１〜２に示すように、紙幣検出センサー(340,341)にそれぞれ接続可能に構成されている。
また、各台端末コンピュータ(220)は、当該紙幣検出センサー(340,341)に接続した場合に、当該紙幣検出センサー(340,341)から出力される紙幣検出信号にもとづいて、紙幣詰まりを判断し、紙幣詰まり信号を島中継コンピュータ(230)に送信するように構成されている。
（請求項１４）
請求項１４に記載の発明は、遊技場管理装置(10)の台端末コンピュータ(220)に関し、上記した請求項１３に記載の発明の特徴点に加え、次の点を特徴とする。
【００５５】
すなわち、各台端末コンピュータ(220)は、紙幣詰まり信号に加えて、当該台端末コンピュータ(220)のアドレスと、当該紙幣検出センサー(340,341)が接続されたポート番号とを含む搬送信号を島中継コンピュータ(230)に送信するように構成されている。
（請求項１５）
請求項１５に記載の発明は、遊技場管理装置のホールコンピュータに関し、次の点を特徴とする。
【００５６】
第一に、例えば図１〜４に示すように、次の構成を前提とする。
（１）遊技島(100)
遊技島(100)は、複数個有り、遊技場内に配置されている。
（２）遊技台(110,120)
遊技台(110,120)は、複数台有り、各遊技島(100)に配置されている。
【００５７】
（３）遊技媒体貸出装置(130,140)
遊技媒体貸出装置(130,140)は、複数台有り、隣接する遊技台(110,120)の間に配置されている。
（４）紙幣搬送装置(310,311)
紙幣搬送装置(310,311)は、例えば図４に示すように、各遊技島(100)内に配置され、遊技媒体貸出装置(130,140)から投入される紙幣を遊技島(100)の一端部に向かって搬送するためのものである。
【００５８】
（５）紙幣検出センサー(340,341)
紙幣検出センサー(340,341)は、例えば図１〜２に示すように、複数個有り、紙幣搬送装置(310,311)内に配置され、当該搬送装置内の紙幣の通過を検知するためのものである。
（６）紙幣保管庫(320)
紙幣保管庫(320)は、例えば図２及び図４に示すように、各遊技島(100)の一端部に配置され、紙幣搬送装置(310,311)により搬送される紙幣を保管するためのものである。
【００５９】
（７）紙幣搬送制御部(330)
紙幣搬送制御部(330)は、図示しないが、紙幣保管庫(320)に配置され、紙幣搬送装置(310,311)を制御するためのものである（例えば図１参照）。
（８）台端末コンピュータ(220)
台端末コンピュータ(220)は、例えば図１〜２に示すように、遊技台(110,120)に隣接して各遊技島(100)内に複数台配置され、当該遊技台(110,120)に接続されたものである。
【００６０】
（９）島中継コンピュータ(230)
島中継コンピュータ(230)は、例えば図１〜２に示すように、各遊技島(100)に配置され、複数台の台端末コンピュータ(220)にそれぞれ接続されるものである。
（１０）ホールコンピュータ(210)
ホールコンピュータ(210)は、例えば図１に示すように、各遊技島(100)の島中継コンピュータ(230)にそれぞれ接続されるものである。
【００６１】
第二に、島中継コンピュータ(230)は、例えば図１〜２に示すように、紙幣搬送制御部(330)に接続可能に構成されている。
第三に、各台端末コンピュータ(220)は、例えば図１〜２に示すように、紙幣検出センサー(340,341)にそれぞれ接続可能に構成されている。
また、各台端末コンピュータ(220)は、当該紙幣検出センサー(340,341)に接続した場合に、当該紙幣検出センサー(340,341)から出力される紙幣検出信号にもとづいて、紙幣詰まりを判断し、紙幣詰まり信号を島中継コンピュータ(230)に送信するように構成されている。
【００６２】
さらに、各台端末コンピュータ(220)は、紙幣詰まり信号に加えて、当該台端末コンピュータ(220)のアドレスと、当該紙幣検出センサー(340,341)が接続されたポート番号とを含む搬送信号を島中継コンピュータ(230)に送信するように構成されている。
第四に、ホールコンピュータ(210)は、島中継コンピュータ(230)を経由して受信した搬送信号にもとづいて、紙幣詰まりが発生した位置に近接する遊技台(110,120)の台番号を検索するようにしている。
（請求項１６）
請求項１６に記載の発明は、遊技場管理装置のホールコンピュータに関し、上記した請求項１５に記載の発明の特徴点に加え、次の点を特徴とする。
【００６３】
すなわち、ホールコンピュータ(210)は、島中継コンピュータ(230)を経由して受信した搬送信号にもとづいて、紙幣詰まりが発生した位置に近接する遊技媒体貸出装置(130,140)のユニット番号を検索するようにしている。
【発明の効果】
【００６４】
本発明は、以上のように構成されているので、以下に記載されるような効果を奏する。
（請求項１）
請求項１に記載の発明によれば、遊技場管理装置に関し、次のような効果を奏する。
すなわち、請求項１に記載の発明によれば、ホールコンピュータを中心とする既存のホールコンピュータ・システムを構成する島中継コンピュータ、台端末コンピュータ、並びにこれらの配線を利用して紙幣搬送システムを制御することで、両システムで重複している設備を可能な限り減らし、導入コストを大幅に低減することができる。
【００６５】
例えば、ホールコンピュータ・システムと、紙幣搬送システムとを同時に導入する場合には、ホールコンピュータ・システムの導入工事を実施した段階で、紙幣搬送システム用の配線作業もほぼ終了している状態になり、両システムの導入作業及び導入費用を半減することができる。
また、仮に両システムの一方が先に導入されている場合には、既に遊技島内の配線作業が終了している状態であるため、もう一方のシステムを単独で導入する場合に比較して、導入作業及び導入費用を低減することができる。
【００６６】
さらに、紙幣搬送システムの専用の端末や、配線を省くことができるので、これに起因する故障を減少することができ、保守やメンテナンスの手数を軽減することができる。
（請求項２）
請求項２に記載の発明によれば、遊技場管理装置に関し、上記した請求項１に記載の発明の効果に加え、次のような効果を奏する。
【００６７】
すなわち、請求項２に記載の発明によれば、遊技媒体貸出装置による紙幣の受付を禁止させることができる。
（請求項３）
請求項３に記載の発明によれば、遊技場管理装置に関し、上記した請求項１又は請求項２に記載の発明の効果に加え、次のような効果を奏する。
【００６８】
すなわち、請求項３に記載の発明によれば、搬送停止警告表示部により、搬送が停止したことを表示することができる。
（請求項４）
請求項４に記載の発明によれば、遊技場管理装置に関し、上記した請求項１〜３のいずれか１項に記載の発明の効果に加え、次のような効果を奏する。
【００６９】
すなわち、請求項４に記載の発明によれば、停止位置表示部により、紙幣が詰まった位置を表示することができる。
（請求項５）
請求項５に記載の発明によれば、遊技場管理装置に関し、上記した請求項４に記載の発明の効果に加え、次のような効果を奏する。
【００７０】
すなわち、請求項５に記載の発明によれば、紙幣搬送制御部の応答を待って、詰まり位置信号を送信することができる。
（請求項６）
請求項６に記載の発明によれば、遊技場管理装置に関し、上記した請求項１〜５のいずれか１項に記載の発明の効果に加え、次のような効果を奏する。
【００７１】
すなわち、請求項６に記載の発明によれば、ホールコンピュータにより、紙幣詰まりが発生した位置に近接する遊技台の台番号を検索することができる。
（請求項７）
請求項７に記載の発明によれば、遊技場管理装置に関し、上記した請求項１〜６のいずれか１項に記載の発明の効果に加え、次のような効果を奏する。
【００７２】
すなわち、請求項７に記載の発明によれば、ホールコンピュータにより、紙幣詰まりが発生した位置に近接する遊技媒体貸出装置のユニット番号を検索することができる。
（請求項８）
請求項８に記載の発明によれば、遊技場管理装置に関し、上記した請求項６又は請求項７に記載の発明の効果に加え、次のような効果を奏する。
【００７３】
すなわち、請求項８に記載の発明によれば、ホールコンピュータにより検索した台番号又はユニット番号を店員に対し、音声により連絡することができる。
その結果、店員が紙幣詰まりが発生した位置を素早く把握して対処できるので、紙幣詰まりによる紙幣搬送システムのダウンタイムを縮小でき、ホールの売り上げへの影響を最小限に抑えることができる。
（請求項９）
請求項９に記載の発明によれば、遊技場管理装置に関し、上記した請求項６〜８のいずれか１項に記載の発明の効果に加え、次のような効果を奏する。
【００７４】
すなわち、請求項９に記載の発明によれば、ホールコンピュータにより検索した台番号又はユニット番号を店員に対し、視覚的に連絡することができる。
その結果、店員が紙幣詰まりが発生した位置を素早く把握して対処できるので、紙幣詰まりによる紙幣搬送システムのダウンタイムを縮小でき、ホールの売り上げへの影響を最小限に抑えることができる。
（請求項１０）
請求項１０に記載の発明によれば、遊技場管理装置に関し、上記した請求項１〜９のいずれか１項に記載の発明の効果に加え、次のような効果を奏する。
【００７５】
すなわち、請求項１０に記載の発明によれば、リセットスイッチを操作することで、紙幣の搬送を再開させることができる。
（請求項１１）
請求項１１に記載の発明によれば、遊技場管理装置に関し、上記した請求項１０に記載の発明の効果に加え、次のような効果を奏する。
【００７６】
すなわち、請求項１１に記載の発明によれば、紙幣受付禁止状態の遊技媒体貸出装置による紙幣の受付を再開させることができる。
（請求項１２）
請求項１２に記載の発明によれば、遊技場管理装置用の島中継コンピュータに関し、次のような効果を奏する。
【００７７】
すなわち、請求項１２に記載の発明によれば、ホールコンピュータを中心とする既存のホールコンピュータ・システムを構成する島中継コンピュータ、台端末コンピュータ、並びにこれらの配線を利用して紙幣搬送システムを制御することで、両システムで重複している設備を可能な限り減らし、導入コストを大幅に低減することができる。
（請求項１３）
請求項１３に記載の発明によれば、遊技場管理装置用の台端末コンピュータに関し、次のような効果を奏する。
【００７８】
すなわち、請求項１３に記載の発明によれば、ホールコンピュータを中心とする既存のホールコンピュータ・システムを構成する島中継コンピュータ、台端末コンピュータ、並びにこれらの配線を利用して紙幣搬送システムを制御することで、両システムで重複している設備を可能な限り減らし、導入コストを大幅に低減することができる。
（請求項１４）
請求項１４に記載の発明によれば、遊技場管理装置用の台端末コンピュータに関し、上記した請求項１３に記載の発明の効果に加え、次のような効果を奏する。
【００７９】
すなわち、請求項１４に記載の発明によれば、紙幣詰まり信号に加えて、当該台端末コンピュータのアドレスと、当該紙幣検出センサーが接続されたポート番号とを含む搬送信号を島中継コンピュータに送信することができる。
例えば、島中継コンピュータを経由して受信した搬送信号にもとづいて、ホールコンピュータにより、紙幣詰まりが発生した位置に近接する遊技台の台番号や、遊技媒体貸出装置のユニット番号を検索することができる。
（請求項１５）
請求項１５に記載の発明によれば、遊技場管理装置のホールコンピュータに関し、次のような効果を奏する。
【００８０】
すなわち、請求項１５に記載の発明によれば、ホールコンピュータにより、紙幣詰まりが発生した位置に近接する遊技台の台番号を検索することができる。
（請求項１６）
請求項１６に記載の発明によれば、遊技場管理装置のホールコンピュータに関し、上記した請求項１５に記載の発明の効果に加え、次のような効果を奏する。
【００８１】
すなわち、請求項１５に記載の発明によれば、ホールコンピュータにより、紙幣詰まりが発生した位置に近接する遊技媒体貸出装置のユニット番号を検索することができる。
【発明を実施するための最良の形態】
【００８２】
（図面の説明）
図１〜７は、本発明の実施の形態の一例をそれぞれ示すものである。
図１は、遊技場管理装置を説明するための概略ブロック図、図２は遊技場管理装置の概略を説明するための説明図、図３はホールの設備を説明するための説明図、図４は紙幣搬送システムを説明するための説明図、図５は図１の台端末コンピュータの詳細を説明するためのブロック図、図６は図１の島中継コンピュータの詳細を説明するためのブロック図、図７は図１のホールコンピュータの詳細を説明するためのブロック図をそれぞれ示すものである。
（遊技場管理装置10）
図１中、10は、遊技場管理装置を示すものであり、この遊技場管理装置10は、図３に示すように、遊技場であるホール20内に設置されている。
（ホール20）
まず、図３を用いて、ホール20内の設備より説明する。
【００８３】
ホール20内には、複数列の遊技島100,100a,100b・・・が設置されている。
各遊技島100内には、パチンコ機やスロットマシン等の遊技台110,111,112,120,121,122・・・が背面を向かい合わせて設置されている。
そして、隣接する遊技台110,120の間には、例えばパチンコ機の場合には玉貸機等の遊技媒体貸出装置130,131,132,140,141,142,143・・・が設置されている。具体的には、遊技媒体貸出装置130,140は、遊技台110,120の向かって左側に配置されている。
（ホールコンピュータ・システム200）
つぎに、ホールコンピュータ・システム200について、図１〜３を用いて説明する。
【００８４】
ホールコンピュータ・システム200は、ホールコンピュータ210を中心に構成されている。
具体的には、各遊技島100内には、大別すると、次のパーツを備える。
（１）台端末コンピュータ220,220a,220b・・・
（２）島中継コンピュータ230,230a,230b・・・
（紙幣搬送システム300）
つぎに、紙幣搬送システム300について、図１〜２、図４を用いて説明する。
【００８５】
紙幣搬送システム300は、各遊技島100内に設定され、遊技媒体貸出装置130に投入される紙幣（図示せず）を回収するためのものである。
具体的には、紙幣搬送システム300には、大別すると、次のパーツを備える。
（１）紙幣搬送装置310,311
（２）紙幣保管庫320
（３）紙幣搬送制御部330
なお、紙幣搬送システム300のパーツは、上記した（１）〜（３）に限定されない。
（紙幣搬送装置310,311）
紙幣搬送装置310,311は、図４に示すように、各遊技島100内に配置され、遊技媒体貸出装置130,140から投入される紙幣を遊技島100の一端部に向かって搬送するためのものである。
【００８６】
具体的には、紙幣搬送装置310,311には、図示しないが、例えばベルトコンベアー等が使用されている。
そして、紙幣搬送装置310,311は、各遊技島100の長手方向に沿って、左右一対配置されている。
左側の紙幣搬送装置200には、遊技島100の左側に配置された遊技媒体貸出装置130,131,132・・・に投入される紙幣（図示せず）が送られて、当該紙幣搬送装置200により、図２及び図４において向かって左側の遊技島100内の一端部に向かって搬送される。
【００８７】
同様に、右側の紙幣搬送装置201には、遊技島100の右側に配置された遊技媒体貸出装置140,142,143,144・・・に投入される紙幣（図示せず）が送られて、当該紙幣搬送装置201により、図２及び図４において向かって左側の遊技島100内の一端部に向かって搬送される。
左右の紙幣搬送装置310,311内には、図１〜２に示すように、紙幣検出センサー340,341がそれぞれ配置されている。
【００８８】
紙幣検出センサー340,341は、紙幣搬送装置310,311内を搬送される紙幣の通過を検出するためのものである。
紙幣検出センサー340,341は、紙幣搬送装置310,311の長手方向に所定の間隔で複数個、配置されている。具体的には、紙幣検出センサー340,341は、各遊技媒体貸出装置130,140に対応し、各遊技媒体貸出装置130,140から紙幣搬送装置310,311に送られた紙幣の通過を検出できるように、遊技媒体貸出装置130,140の上流側にそれぞれ配置されている。
（紙幣保管庫320）
紙幣保管庫320は、図２及び図４に示すように、各遊技島100の一端部に配置され、左右の紙幣搬送装置310,311により搬送される紙幣を保管するためのものである。
（紙幣搬送制御部330）
紙幣搬送制御部330は、図示しないが、紙幣保管庫320に配置され、左右の紙幣搬送装置310,311を個々に制御するためのものである。
【００８９】
紙幣搬送制御部330は、図１に示すように、次のパーツを備える。
（１）搬送停止警告表示部350
搬送停止警告表示部350には、例えばいわゆるパトランプ等が使用され、店員に紙幣詰まりが発生したことを表示するためのものである。
（２）停止位置表示部360
停止位置表示部360には、例えば７セグメント等が使用され、店員に紙幣詰まりが発生した位置を表示するためのものである。
（台端末コンピュータ220）
台端末コンピュータ220は、図１〜２に示すように、各遊技島100内に複数台配置され、島中継コンピュータ230にそれぞれ接続されている。具体的には、台端末コンピュータ220は、左右の遊技台110,120に１台の割合で配置されている。
【００９０】
台端末コンピュータ220には、図１に示すように、次のパーツが接続されている。
（１）左右の遊技台110,120
左右の遊技台110,120からは、台端末コンピュータ220に対し、例えばパチンコ機の場合には、玉のイン・アウト、大当たり等の遊技データが送信される。
（２）左右の遊技媒体貸出装置130,140
左右の遊技媒体貸出装置130,140からは、台端末コンピュータ220に対し、例えば売上信号等の遊技媒体貸出データが送信される。
【００９１】
（３）左右の紙幣検出センサー340,341
左右の紙幣検出センサー340,341からは、台端末コンピュータ220に対し、紙幣検出信号が送信される。
（４）リセットスイッチ240
リセットスイッチ240からは、台端末コンピュータ220に対し、リセット信号が送信される。
【００９２】
（５）セキュリティ装置250
セキュリティ装置240からは、台端末コンピュータ220に対し、例えば不正検出信号等のセキュリティデータが送信される。
一方、台端末コンピュータ220は、コンピュータであって、図示しないが、例えばＣＰＵを中心に構成され、ＲＯＭやＲＡＭ等の記録媒体、Ｉ／Ｏ等を備えている。
【００９３】
なお、記録媒体は、ＲＯＭやＲＡＭに限定されず、そのほか電気的・磁気的・光学的なメモリーやディスク等でも良い。
上記台端末コンピュータ220のＣＰＵ（図示せず）は、記録媒体、例えばＲＯＭに記録されたプログラムを読み込むことで、図５に示すように、次の手段として機能する。
なお、台端末コンピュータ220の手段は、次の（６）〜（１０）に限定されない。
【００９４】
（６）通信制御手段221
通信制御手段221は、島中継コンピュータ230との間の通信を制御するためのものである。
（７）紙幣詰まり判断手段222
紙幣詰まり判断手段222は、紙幣検出センサー340,341から出力される紙幣検出信号にもとづいて、紙幣詰まりを判断し、紙幣詰まり信号を島中継コンピュータ230に送信するためのものである。
【００９５】
具体的には、紙幣検出信号が所定の時間、例えば３秒以上、継続して出力されている場合には、紙幣搬送装置310,311において、紙幣詰まりが発生したものと判断する。
（８）搬送信号作成手段223
搬送信号作成手段223は、島中継コンピュータ230に送信する搬送信号を作成するためのものである。
【００９６】
搬送信号には、次のデータが含まれる。
（ａ）紙幣詰まり信号
（ｂ）当該台端末コンピュータ220のアドレス
（ｃ）紙幣検出センサー340,341が接続されたポート番号
（ｄ）タイム・スタンプ
なお、搬送信号のデータは、上記した（ａ）〜（ｄ）に限定されない。
【００９７】
（９）紙幣受付禁止手段224
紙幣受付禁止手段224は、島中継コンピュータ230を経由して受信した搬送停止信号を待って、遊技媒体貸出装置130,140に向かって紙幣受付禁止信号を送信するためのものである。
搬送停止信号は、後述するが、島中継コンピュータ230から送信された搬送停止用伝達信号にもとづいて、紙幣搬送制御部330が紙幣搬送装置310,311による紙幣の搬送動作を停止させた後、当該紙幣搬送制御部330から島中継コンピュータ(230)に送信される。
【００９８】
（１０）紙幣受付再開手段225
紙幣受付再開手段225は、島中継コンピュータ230を経由して受信した搬送停止解除信号を待って、紙幣受付禁止状態の遊技媒体貸出装置130,140に向かって紙幣受付禁止解除信号を送信するためのものである。
搬送停止解除信号は、後述するが、島中継コンピュータ230から送信された搬送再開用伝達信号にもとづいて、紙幣搬送制御部330が紙幣搬送装置310,311による紙幣の搬送動作を再開させた後、当該紙幣搬送制御部330から島中継コンピュータ230に送信される。
（島中継コンピュータ230）
島中継コンピュータ230は、図１〜２に示すように、各遊技島100に１台の割合で配置され、各台端末コンピュータ220及びホールコンピュータ210に接続されている。
【００９９】
島中継コンピュータ230には、図１に示すように、次のパーツが接続されている。
（１）紙幣搬送制御部330
（２）遊技媒体補給装置260
遊技媒体補給装置260は、遊技島100内に設置され、例えばパチンコ機の場合にはパチンコ玉を遊技媒体貸出装置130,140に補給するためのものである。
【０１００】
一方、島中継コンピュータ230は、コンピュータであって、図示しないが、例えばＣＰＵを中心に構成され、ＲＯＭやＲＡＭ等の記録媒体、Ｉ／Ｏ等を備えている。
なお、記録媒体は、ＲＯＭやＲＡＭに限定されず、そのほか電気的・磁気的・光学的なメモリーやディスク等でも良い。
上記島中継コンピュータ230のＣＰＵ（図示せず）は、記録媒体、例えばＲＯＭに記録されたプログラムを読み込むことで、図６に示すように、次の手段として機能する。
【０１０１】
なお、島中継コンピュータ230の手段は、次の（３）〜（４）に限定されない。
（３）通信制御手段231
通信制御手段231は、各台端末コンピュータ220との間、及びホールコンピュータ210との間の通信を制御するためのものである。
（４）信号変換手段232
信号変換手段232は、紙幣搬送制御部330の通信プロトコルに対応させて信号を、例えば物理的な信号のオン・オフに変換するためのものである。
【０１０２】
具体的には、信号変換手段232は、図６に示すように、次の手段を備える。
なお、信号変換手段232の手段は、次の（５）〜（７）に限定されない。
（５）搬送停止用伝達信号送信手段233
搬送停止用伝達信号送信手段233は、台端末コンピュータ220から送信された紙幣詰まり信号にもとづいて、紙幣搬送装置310,311による紙幣の搬送動作を停止させるための搬送停止用伝達信号を、紙幣搬送制御部330に送信するためのものである。
【０１０３】
（６）停止位置信号送信手段234
停止位置信号送信手段234は、紙幣搬送制御部330から送信される停止位置読み信号を待って、詰まり位置信号を送信するものである。
停止位置読み信号は、島中継コンピュータ230から送信された搬送停止用伝達信号にもとづいて、紙幣搬送制御部330から島中継コンピュータ230に送信される。
【０１０４】
（７）搬送再開用伝達信号送信手段235
搬送再開用伝達信号送信手段235は、台端末コンピュータ220を経由して受信したリセットスイッチ250からのリセット信号にもとづいて、紙幣搬送装置310,311による紙幣の搬送動作を再開させるための搬送再開用伝達信号を、紙幣搬送制御部330に送信するためのものである。
（ホールコンピュータ210）
ホールコンピュータ210は、図１に示すように、各遊技島100の島中継コンピュータ230にそれぞれ接続されている。
【０１０５】
ホールコンピュータ210は、無線通信装置270を備え、無線通信装置270は、店員が持つ無線端末280,280a,280b・・・に接続されている。
一方、ホールコンピュータ210は、図示しないが、例えばパーソナル・コンピュータが使用され、ディスプレイ、プリンター等が接続されている。
ホールコンピュータ210のＣＰＵ（図示せず）は、電気的・磁気的・光学的なメモリーやディスク等の記録媒体（図示せず）に記録されたプログラムを読み込むことで、図７に示すように、次の手段として機能する。
【０１０６】
なお、ホールコンピュータ210の手段は、次の（１）〜（８）に限定されない。
（１）通信制御手段211
通信制御手段211は、島中継コンピュータ230との間の通信を制御するためのものである。
（２）遊技データ管理手段212
遊技データ管理手段212は、各遊技台110,120から台端末コンピュータ220及び島中継コンピュータ230を経由して送信される遊技データを管理するためのものである。
【０１０７】
（３）無線通信制御手段213
無線通信制御手段213は、無線通信装置270との間の通信を制御するためのものである。
（４）紙幣詰まり位置検索手段214
紙幣詰まり位置検索手段214は、島中継コンピュータ230を経由して受信した搬送信号にもとづいて、紙幣詰まりが発生した位置を検索するためのものである。
【０１０８】
具体的には、紙幣詰まり位置検索手段214は、紙幣詰まりが発生した位置に近接する遊技台110,120の台番号（図３の「No.」参照）を検索している。
なお、遊技台110,120の台番号のほか、紙幣詰まりが発生した位置に近接する遊技媒体貸出装置130,140のユニット番号（図３の「No.」参照）を検索するようにしても良い。
（５）紙幣搬送情報表示手段215
紙幣搬送情報表示手段215は、ディスプレイ（図示せず）に紙幣搬送情報を表示するためのものである。
【０１０９】
具体的には、島中継コンピュータ230を経由して受信した搬送信号にもとづいて、紙幣詰まりが発生したこと、及び紙幣詰まり位置検索手段214により検索した遊技台110,120の台番号又は遊技媒体貸出装置130,140のユニット番号を、ディスプレイ（図示せず）に表示させる。
また、台端末コンピュータ220及び島中継コンピュータ230を経由して受信したリセットスイッチ250からのリセット信号にもとづいて、紙幣詰まりが復旧したことを、ディスプレイ（図示せず）に表示させる。
【０１１０】
（６）紙幣搬送情報無線連絡手段216
紙幣搬送情報無線連絡手段216は、無線通信装置270を通じて各無線端末280に、紙幣搬送情報を連絡するためのものである。
具体的には、島中継コンピュータ230を経由して受信した搬送信号にもとづいて、紙幣詰まりが発生したこと、及び紙幣詰まり位置検索手段214により検索した遊技台110,120の台番号又は遊技媒体貸出装置130,140のユニット番号を、音声により各無線端末280に連絡する。
【０１１１】
なお、音声により連絡のほか、紙幣詰まりが発生したことを、各無線端末280のバイブレーション機能により伝達したり、或いは各無線端末280の表示部（図示せず）に表示させて視覚的に連絡するようにしても良い。同様に、紙幣詰まり位置検索手段214により検索した遊技台110,120の台番号又は遊技媒体貸出装置130,140のユニット番号を、各無線端末280の表示部（図示せず）に表示させて視覚的に連絡するようにしても良い。
【０１１２】
台端末コンピュータ220及び島中継コンピュータ230を経由して受信したリセットスイッチ250からのリセット信号にもとづいて、紙幣詰まりが復旧したことを、音声により各無線端末280に連絡する。
なお、音声により連絡のほか、紙幣詰まりが復旧したことを、各無線端末280のバイブレーション機能により伝達したり、或いは各無線端末280の表示部（図示せず）に表示させて視覚的に連絡するようにしても良い。
【０１１３】
（７）紙幣搬送履歴記憶手段217
紙幣搬送履歴記憶手段217は、紙幣詰まりの発生した時間、紙幣詰まりが発生した位置、紙幣詰まりが復旧した時間等の紙幣搬送履歴を記憶するためのものである。
（８）紙幣搬送履歴表示手段218
紙幣搬送履歴表示手段218は、紙幣搬送履歴記憶手段217により記憶された紙幣搬送履歴の全部又は一部を、ディスプレイ（図示せず）に表示させるためのものである。
（遊技場管理装置10の動作）
上記した構成を備える遊技場管理装置10の動作について、次の３つの場合に分けて、以下に説明する。
【０１１４】
（１）紙幣搬送の停止
（２）紙幣搬送の再開
（３）紙幣詰まりの同時又は連続的な発生
（紙幣搬送の停止動作）
紙幣検出センサー340,341は、紙幣搬送装置310,311内を搬送される紙幣の通過を検出すると、紙幣検出信号を出力する。例えば、左側の紙幣搬送装置310内を搬送される紙幣の通過を検出すると、左側の紙幣検出センサー340から紙幣検出信号が出力される。
【０１１５】
左側の紙幣検出センサー340から出力された紙幣検出信号は、台端末コンピュータ220に送信される。
台端末コンピュータ220の紙幣詰まり判断手段222は、紙幣検出信号が所定の時間、例えば３秒以上、継続して出力されている場合に、左側の紙幣搬送装置310において、紙幣詰まりが発生したものと判断し、紙幣詰まり信号を出力する。
【０１１６】
紙幣詰まり信号は、台端末コンピュータ220の搬送信号作成手段223により、搬送信号として島中継コンピュータ230に送信される。
島中継コンピュータ230の搬送停止用伝達信号送信手段233は、台端末コンピュータ220から送信された搬送信号に含まれる紙幣詰まり信号にもとづいて、紙幣搬送装置310,311による紙幣の搬送動作を停止させるための搬送停止用伝達信号を、紙幣搬送制御部330に送信する。
【０１１７】
このとき、搬送停止用伝達信号送信手段233は、搬送信号に含まれる紙幣検出センサー340,341が接続されたポート番号から、左側の紙幣搬送装置310において、紙幣詰まりが発生したものと判断し、左側の紙幣搬送装置310による紙幣の搬送動作を停止させるための搬送停止用伝達信号を、紙幣搬送制御部330に送信する。
紙幣搬送制御部330は、搬送停止用伝達信号を受信すると、左側の紙幣搬送装置310による紙幣の搬送動作を停止させる。
【０１１８】
このとき、紙幣搬送制御部330は、搬送停止警告表示部350により、店員に紙幣詰まりが発生したことを表示する。
その後、紙幣搬送制御部330は、搬送停止信号及び停止位置読み信号を島中継コンピュータ230に送信する。
搬送停止信号を受信すると、島中継コンピュータ230は、当該搬送停止信号を信号変換手段232により、ホールコンピュータ・システム200のプロトコルに合わせて変換後、遊技島100内の全ての台端末コンピュータ220に送信する。
【０１１９】
各台端末コンピュータ220の紙幣受付禁止手段224は、島中継コンピュータ230を経由して受信した搬送停止信号を受信すると、遊技媒体貸出装置130,140に向かって紙幣受付禁止信号を送信する。
このとき、左側の紙幣搬送装置310による紙幣の搬送動作だけが停止しているので、左側の遊技媒体貸出装置130にのみ紙幣受付禁止信号が送信され、当該遊技媒体貸出装置130の紙幣の受付が禁止される。また、当該遊技媒体貸出装置130の表示部（図示せず）には、紙幣受付禁止中の表示が行われる。なお、紙幣の受付が禁止されるだけで、遊技媒体貸出装置130による遊技媒体の貸し出しは中止されず、硬貨を使用した貸し出しが可能となっている。
【０１２０】
一方、停止位置読み信号を受信すると、島中継コンピュータ230の停止位置信号送信手段234は、詰まり位置信号を紙幣搬送制御部330に送信する。
詰まり位置は、搬送信号に含まれる台端末コンピュータ220のアドレスにより判断している。
紙幣搬送制御部330は、詰まり位置信号を受信すると、停止位置表示部360により、店員に紙幣詰まりが発生した位置を表示する。
【０１２１】
一方、ホールコンピュータ210の紙幣搬送情報表示手段215は、島中継コンピュータ230を経由して搬送信号を受信すると、紙幣詰まりが発生したこと、及び紙幣詰まり位置検索手段214により検索した遊技台110,120の台番号又は遊技媒体貸出装置130,140のユニット番号を、ディスプレイ（図示せず）に表示させる。
同時に、ホールコンピュータ210の紙幣搬送情報無線連絡手段216は、紙幣詰まりが発生したこと、及び紙幣詰まり位置検索手段214により検索した遊技台110,120の台番号又は遊技媒体貸出装置130,140のユニット番号を、音声により各無線端末280に連絡する。
（紙幣搬送の再開動作）
店員は、紙幣詰まりが解消した後、最寄りのリセットスイッチ240を操作する。
【０１２２】
リセットスイッチ240が操作されると、リセット信号が台端末コンピュータ220を経由して島中継コンピュータ230に送信される。
島中継コンピュータ230の搬送再開用伝達信号送信手段235は、リセット信号を受信すると、左側の紙幣搬送装置310による紙幣の搬送動作を再開させるための搬送再開用伝達信号を、紙幣搬送制御部330に送信する。
【０１２３】
紙幣搬送制御部330は、搬送再開伝達信号を受信すると、左側の紙幣搬送装置310による紙幣の搬送停止動作を解除し、搬送を再開させる。
このとき、紙幣搬送制御部330は、搬送停止警告表示部350及び停止位置表示部360を非表示とする。
その後、紙幣搬送制御部330は、搬送停止解除信号を島中継コンピュータ230に送信する。
【０１２４】
島中継コンピュータ230は、搬送停止解除信号を受信すると、当該搬送停止解除信号を信号変換手段232により、ホールコンピュータ・システム200のプロトコルに合わせて変換後、遊技島100内の全ての台端末コンピュータ220に送信する。
各台端末コンピュータ220の紙幣受付再開手段225は、島中継コンピュータ230を経由して受信した搬送停止解除信号を受信すると、遊技媒体貸出装置130,140に向かって紙幣受付禁止解除信号を送信する。
【０１２５】
このとき、左側の遊技媒体貸出装置130にのみ紙幣受付禁止解除信号が送信され、当該遊技媒体貸出装置130の紙幣の受付が再開される。また、当該遊技媒体貸出装置130の表示部（図示せず）には、紙幣受付中の表示が行われる。
一方、ホールコンピュータ210の紙幣搬送情報表示手段215は、島中継コンピュータ230を経由してリセット信号を受信すると、紙幣詰まりが復旧したことを、ディスプレイ（図示せず）に表示させる。
【０１２６】
同時に、ホールコンピュータ210の紙幣搬送情報無線連絡手段216は、紙幣詰まりが復旧したことを、音声により各無線端末280に連絡する。
（紙幣詰まりの同時又は連続的な発生）
２カ所で紙幣詰まりが同時に、或いは連続して発生した場合は、一方の紙幣詰まりによる紙幣の搬送の停止、再開後、次の紙幣詰まりによる紙幣の搬送を停止する。
【０１２７】
なお、一方の紙幣詰まりによる処理を待たずに、台端末コンピュータ220により２個の搬送信号を作成して送信することで、ホールコンピュータ210は、２カ所で紙幣詰まりが発生したこと、及び２カ所の発生位置をディスプレイ（図示せず）に同時に表示させたり、或いはその旨を音声により各無線端末280に連絡することも可能である。
【図面の簡単な説明】
【０１２８】
【図１】遊技場管理装置を説明するための概略ブロック図である。
【図２】遊技場管理装置の概略を説明するための説明図である。
【図３】ホールの設備を説明するための説明図である。
【図４】紙幣搬送システムを説明するための説明図である。
【図５】図１の台端末コンピュータの詳細を説明するためのブロック図である。
【図６】図１の島中継コンピュータの詳細を説明するためのブロック図である。
【図７】図１のホールコンピュータの詳細を説明するためのブロック図である。
【符号の説明】
【０１２９】
10  遊技場管理装置                    20  ホール
100,100a,100b・・・  遊技島
110,111,112,120,121,122・・・  遊技台
130,131,132,140,141,142,143・・・  遊技媒体貸出装置
200  ホールコンピュータ・システム     210  ホールコンピュータ
211  通信制御手段                     212  遊技データ管理手段
213  無線通信制御手段                 214  紙幣詰まり位置検索手段
215  紙幣搬送情報表示手段             216  紙幣搬送情報無線連絡手段
217  紙幣搬送履歴記憶手段             218  紙幣搬送履歴表示手段
220,220a,220b・・・  台端末コンピュータ
221  通信制御手段                     222  紙幣詰まり判断手段
223  搬送信号作成手段                 224  紙幣受付禁止手段
225  紙幣受付再開手段
230,230a,230b・・・  島中継コンピュータ
231  通信制御手段                     232  信号変換手段
233  搬送停止用伝達信号送信手段       234  停止位置信号送信手段
235  搬送再開用伝達信号送信手段       240  リセットスイッチ
250  セキュリティ装置                 260  遊技媒体補給装置
270  無線通信装置                     280  無線端末
300  紙幣搬送システム                 310,311  紙幣搬送装置
320  紙幣保管庫                       330  紙幣搬送制御部
340,341  紙幣検出センサー             350  搬送停止警告表示部
360  停止位置表示部
【図１】
2006116025.tif 000003
【図２】
2006116025.tif 000004
【図３】
2006116025.tif 000005
【図４】
2006116025.tif 000006
【図５】
2006116025.tif 000007
【図６】
2006116025.tif 000008
【図７】
2006116025.tif 000009